(57)【要約】【課題】トレイ先端に設けてある蓋体と挿入口との位置ずれがなくなり、蓋体と挿入口との隙間が均一なディスク装置を提供する。【解決手段】トレイ台１２が設けられたディスクドライブ１０と、トレイ３０を挿入する挿入口２２が形成されたパネル２０とを備え、トレイ３０下面の両側縁部３０ｅ、３０ｆに離間して下向きに形成された一対の係合溝３２ａ、３２ｂと、挿入口２２の下縁及び両側縁にてパネル２０の内側に延出された延出部２４と、延出部２４に係合溝３２ａ、３２ｂに各嵌入してトレイ３０を筐体１１内に案内する横方向に離間して上向きに形成された一対のガイド突起２４ｅ、２４ｇと、トレイ台１２の前側に形成された一対の突起１２ｅ、１２ｇと、トレイ台１２の後側に形成された一対の突起１２ｆ、１２ｈと、トレイ３０に取り付けられた蓋体３６とを有し、蓋体３６と挿入口２２との隙間２３を均一にしている。【選択図】図４
2009104726.tif 000002
【特許請求の範囲】
【請求項１】
ディスクを載置する正面視矩形状のトレイを有するディスクドライブと、前記トレイを挿入する挿入口が形成されたパネルとを備え、前記トレイの先端に設けられた蓋体で前記挿入口が閉塞されるようになっているディスク装置において、
前記トレイに、該トレイの正面長手方向に離間して奥行き方向に形成された二個の係合部と、
前記挿入口の縁にて前記パネルの内側に延出された延出部と、
該延出部に形成されており、前記二個の係合部に各係合して前記トレイの挿入を案内する二個の案内部と
を有することを特徴とするディスク装置。
【請求項２】
前記二個の係合部の一方の近傍に形成されたラックと、該ラックに噛合するピニオンとを備えており、
該ピニオンは前記二個の案内部の一方の近傍で前記延出部に軸支されていることを特徴とする請求項１に記載のディスク装置。
【請求項３】
前記ディスクドライブは前記トレイを支持するトレイ台を備え、
該トレイ台に、前記係合部にそれぞれ係合し、前記トレイの挿入を案内する一対又は複数対の突起を有していることを特徴とする請求項１又は２に記載のディスク装置。
【請求項４】
前記係合部は溝からなり、
前記案内部は突起からなることを特徴とする請求項１から３までのいずれか一つに記載のディスク装置。
【発明の詳細な説明】
【技術分野】
【０００１】
本発明は、ディスクを載置するトレイの先端に取り付けられた蓋体とトレイを挿入するパネルの挿入口との隙間を均一にしているディスク装置に関する。
【背景技術】
【０００２】
従来、ディスクの再生及び記録等をするディスク装置は、ディスクドライブを略直方体状の筐体に内装している。
図７は従来のディスク装置を上方から視た部分斜視図である。
ディスク装置は、正面視矩形状の横長のパネル１の内側に取り付けられている平面視矩形状のシャーシ２の略中央の前寄りに、アングル２ａ、２ａで両側部が固定された扁平な略直方体状のディスクドライブ３を備えている。
【０００３】
ディスクドライブ３は、ディスクを略水平に載置する正面視矩形状のトレイ４を備えている。ディスク装置のパネル１には、トレイ４を出し入れする正面視矩形状の長手方向を横方向にした挿入口１ａが形成されている。
トレイ４の先端４ａに取り付けられている挿入口１ａの蓋体４ｂが、パネル１の前面と面一にして挿入口１ａを閉塞するようになっている。
蓋体４ｂが挿入口１ａを閉塞したとき、挿入口１ａと蓋体４ｂとの隙間は、部品の寸法誤差及び組み付け誤差等により不均一となる場合があり、外観上の見栄えを損なうことが有り得る。
【０００４】
このような挿入口１ａと蓋体４ｂとの隙間を均一にするものとして特許文献１に示す提案がある。特許文献１では、トレイの先端部に取り付けられたベース部材が、挿入口の蓋体を弾性部材で揺動可能に保持しており、挿入口の周端面は外向きに末広がりの傾斜面になっている。挿入口の傾斜面に対応して蓋体の周端面がテーパー状になっている。蓋体はベース部材の弾性部材によりパネルの挿入口に引き込まれて均一に密着するようになっている。
特許文献１の例では、トレイを挿入口に挿入する場合、蓋体が挿入口と少し位置ずれしていたとき、蓋体が挿入口に対して揺動して挿入口に均一に密着し、蓋体と挿入口との隙間が均一になる。
【特許文献１】特開２００６−３２３９２８号公報
【発明の開示】
【発明が解決しようとする課題】
【０００５】
しかしながら特許文献１のような構造では、蓋体と挿入口との隙間を均一にすることはできるが、蓋体を弾性部材で揺動可能に保持する構造としているため、部品点数が多くなっており、改善の余地がある。
【０００６】
本発明は、このような事情に鑑みてなされたものであって、その目的とするところは、トレイを挿入する挿入口が形成されたパネルの延出部にトレイの案内部を備えることにより、トレイ先端に設けてある蓋体と挿入口との位置ずれがなくなり、蓋体と挿入口との隙間を均一にできるディスク装置を提供することにある。
【課題を解決するための手段】
【０００７】
本発明のディスク装置は、ディスクを載置する正面視矩形状のトレイを有するディスクドライブと、前記トレイを挿入する挿入口が形成されたパネルとを備え、前記トレイの先端に設けられた蓋体で前記挿入口が閉塞されるようになっているディスク装置において、前記トレイに、該トレイの正面長手方向に離間して奥行き方向に形成された二個の係合部と、前記挿入口の縁にて前記パネルの内側に延出された延出部と、該延出部に形成されており、前記二個の係合部に各係合して前記トレイの挿入を案内する二個の案内部とを有することを特徴とする。
【０００８】
このような構成の本発明のディスク装置では、トレイをパネルの延出部に載置してトレイを挿入口に挿入したとき、パネルの延出部の二個の案内部が、トレイの二個の係合部にそれぞれ係合する。
蓋体が挿入口を閉塞したとき、パネルの延出部に位置する案内部がトレイの係合部に係合した状態で、案内部と係合部との係合がパネルの挿入口に対するトレイの正面視縦横の位置関係を保持し、トレイとパネルの挿入口との位置ずれが無くなる。
したがって、蓋体と挿入口との隙間の均一化が可能になる。
【０００９】
本発明のディスク装置は、前記二個の係合部の一方の近傍に形成されたラックと、該ラックに噛合するピニオンとを備えており、該ピニオンは前記二個の案内部の一方の近傍で前記延出部に軸支されていることを特徴とする。
【００１０】
このような構成の本発明のディスク装置では、トレイをパネルの延出部に載置してトレイを挿入口に挿入したとき、パネルの延出部の二個の案内部が、トレイの二個の係合部にそれぞれ係合する。
二個の案内部がトレイの二個の係合部に係合したとき、延出部のピニオンが二個の案内部の一方の近傍でトレイのラックに噛合して、案内部と係合部との係合及びピニオンとラックとの噛合が、パネルの挿入口に対するトレイの正面視縦横の位置関係をより確実に拘束する。
蓋体が挿入口を閉塞したとき、パネルの延出部に位置する案内部がトレイの係合部に係合した状態であり、延出部に軸支されるピニオンがトレイのラックに噛合しており、案内部と係合部との係合及びピニオンとラックとの噛合が、パネルの挿入口に対するトレイの正面視縦横の位置関係を保持し、トレイとパネルの挿入口との位置ずれが無くなり、蓋体と挿入口との隙間の均一化が可能になる。
トレイを取り出す場合、例えばトレイ駆動装置が起動してトレイを駆動する駆動ギアが回転したとき、ピニオンが回転し、ピニオンと連動するラックの移動によりトレイが前側へ移動し、延出部の案内部がトレイの係合部に係合した状態でトレイの移動を案内する。トレイの移動が停止した後、ディスクがトレイに載置される。
【００１１】
本発明のディスク装置は、前記ディスクドライブは前記トレイを支持するトレイ台を備え、該トレイ台に、前記係合部にそれぞれ係合し、前記トレイの挿入を案内する一対又は複数対の突起を有していることを特徴とする。
【００１２】
このような構成の本発明のディスク装置では、トレイ台の一対又は複数対の突起が、各対応するトレイの二個の係合部にそれぞれ係合しており、突起がトレイをディスクドライブ本体内に案内する。
蓋体が挿入口を閉塞したとき、パネルの延出部に位置する案内部及びトレイ台の各突起が、それぞれ対応するトレイの係合部に係合した状態で、案内部及び突起と係合部との係合が、パネルの挿入口に対するトレイの正面視縦横の位置関係を保持し、トレイとパネルの挿入口との位置ずれが無くなる。
したがって、蓋体と挿入口との隙間の均一化が可能になる。
【００１３】
本発明のディスク装置は、前記係合部は溝からなり、前記案内部は突起からなることを特徴とする。
【００１４】
このような構成の本発明のディスク装置では、トレイをパネルの延出部に載置してトレイを挿入口に挿入したとき、パネルの延出部の二個の突起が、各対応するトレイの二個の溝にそれぞれ係合する。
延出部の二個の突起がトレイの二個の溝に係合したとき、延出部のピニオンが二個のガイド突起の一方の近傍でトレイのラックに噛合して、突起と溝との係合及びピニオンとラックとの噛合が、パネルの挿入口に対するトレイの正面視縦横の位置関係をより確実に拘束する。
蓋体が挿入口を閉塞したとき、パネルの延出部に位置する突起及びトレイ台の各突起がトレイの溝に係合した状態であり、延出部に軸支されるピニオンがトレイのラックに噛合しており、突起と溝との係合及びピニオンとラックとの噛合が、パネルの挿入口に対するトレイの正面視縦横の位置関係を保持し、トレイとパネルの挿入口との位置ずれが無くなり、蓋体と挿入口との隙間の均一化が可能になる。
トレイを取り出す場合、例えばトレイ駆動装置が起動してトレイを駆動する駆動ギアが回転したとき、ピニオンが回転し、ピニオンと連動するラックの移動によりトレイが前側へ移動し、延出部の突起が、トレイの溝に係合した状態でトレイの移動を案内する。
トレイの移動が停止した後、ディスクがトレイに載置される。
【発明の効果】
【００１５】
本発明のディスク装置は、トレイを挿入する挿入口が形成されたパネルの延出部にトレイの案内部を設けているので、トレイ先端に設けてある蓋体とパネルの挿入口との位置ずれが無くなり、蓋体と挿入口との隙間を均一にすることができるという効果を有する。
したがって、本発明のディスク装置は、パネルの挿入口の延出部に案内部を設けるだけで、蓋体と挿入口との隙間を均一にして見栄えをよくすることができる。
【発明を実施するための最良の形態】
【００１６】
以下、図面に基づき、本発明によるディスク装置の好適な実施の形態を説明する。
図１は本発明の実施の形態に係るディスク装置を示す正面図、図２は図１のＩＩ−ＩＩ断面図、図３は図２のＩＩＩ−ＩＩＩ断面図、図４は図１のＩＶ−ＩＶ断面図、図５は図４のＶ−Ｖ断面図である。
本実施の形態に係るディスク装置は、ディスクドライブ１０を正面視矩形状で横長の扁平な筐体１１に内装している。
【００１７】
ディスクドライブ１０は、両側部をアングル１１ａ、１１ｂで筐体１１に固定されており、筐体１１の一側方寄りの前側に配設されている。ディスクドライブ１０は、ディスクの情報を読み書きするディスクドライブ本体１０ａと、ディスクを水平に載置する正背面視矩形状のトレイ３０とを有している。筐体１１の前面は正面視矩形状のパネル２０に覆われている。トレイ３０の先端には、トレイ飾りである直方体状の蓋体３６が取り付けられている。パネル２０の縦方向の中央部にはトレイ３０が出入りする正面視矩形状の挿入口２２が形成されており、パネル２０の前面と蓋体３６の前面とは、トレイ３０の入った状態で挿入口２２が蓋体３６に閉塞されたとき、面一になるようになっている。
【００１８】
トレイ３０は平面視略矩形状をなし、トレイ３０の側部３０ａ、３０ｂは側面視矩形状をなしている。両側部３０ａ、３０ｂの各後端部に弾性変形可能に形成された舌状片に、ストッパ３１ａ、３１ｂが両側部３０ａ、３０ｂからそれぞれ外向きに突設されている。
トレイ３０下面の両側縁部３０ｅ、３０ｆに奥行き方向に沿わせて、それぞれコの字状の係合溝３２ａ、３２ｂが下向きに凹設されている。
係合溝３２ａ、３２ｂは、トレイ３０を筐体１１内に案内する案内部と係合する係合部を構成する。
【００１９】
ディスクドライブ１０には、トレイ３０の出入りが可能な大きさの前枠１０ｂが、パネル２０の裏面側に近接して設けられている。
前枠１０ｂの開口部１０ｃの下縁から奥行き方向に、トレイ３０を摺動可能に支持するトレイ台１２が設けられている。
トレイ台１２は平面視矩形状をなし、一方の側縁部１２ａの近傍の上面に、奥行き方向の前後に並ぶ突起１２ｅ及び突起１２ｆが二個形成されている。
他方の側縁部１２ｂの近傍の上面に、奥行き方向の前後に並ぶ突起１２ｇ及び突起１２ｈが二個形成されている。
突起１２ｅと突起１２ｇとは、それぞれ平面視矩形状をなし、長手方向を前後方向にしており、横方向に対向している。
また突起１２ｆと突起１２ｈとは、それぞれ平面視矩形状をなし、長手方向を前後方向にしており、横方向に対向している。
【００２０】
トレイ台１２の一方の側縁部１２ａ側の前縁部１２ｃ近傍の上面に、トレイ３０を駆動するための動力伝達用の連結ギア１３ａが回転軸を縦向きに軸支されている。連結ギア１３ａはトレイ３０を駆動する後述の駆動ギア１３ｂに噛合している。トレイ駆動装置１４はトレイ台１２の前縁部１２ｃの下側に配設されている。連結ギア１３ａの回転軸はトレイ駆動装置１４の回転軸に連結されている。
【００２１】
パネル２０の挿入口２２の両側縁及び下縁がパネル２０の内側に延出されており、棚状の延出部２４が形成されている。
延出部２４には前縁部２４ａから後縁部２４ｂまでの奥方向に、対向する第１側壁２６ａ、２６ｂ及び対向する第２側壁２７ａ、２７ｂが形成されている。
延出部２４の後縁部２４ｂはディスクドライブ１０のトレイ台１２の前縁部１２ｃに近接しており、延出部２４の上面は、トレイ台１２の上面と同一の平面上に位置している。
挿入口２２の縦横の寸法は、蓋体３６の縦横の寸法より２ｍｍ程度長くしており、蓋体３６が挿入口２２を閉塞したときにできる隙間は、均一に１ｍｍ程度になるようにしている。
【００２２】
一方の側壁である第１側壁２６ａ及び第２側壁２７ａと、他方の側壁である第１側壁２６ｂ及び第２側壁２７ｂとに、それぞれ段差があり、前縁部２４ａ及び後縁部２４ｂから等距離の位置にそれぞれ段２５ａ、２５ｂが形成されている。第１側壁２６ａ、２６ｂ間の距離は、第２側壁２７ａ、２７ｂ間の距離より広くなっており、延出部２４は平面視凸字状になっている。
【００２３】
延出部２４の後縁部２４ｂに、駆動ギア１３ｂが回転軸を縦向きに軸支されている。駆動ギア１３ｂは第２側壁２７ａ、２７ｂが対向する延出部２４の領域内に設けられている。駆動ギア１３ｂの上部に、ピニオン１３ｃが同軸で一体的に形成されている。トレイ３０下面に、係合溝３２ａ側に向けた横向きの歯を有するラック３３が、係合溝３２ａと平行に形成されており、ラック３３にピニオン１３ｃが噛合している。
ラック３３は、トレイ３０下面の側縁部３０ｅ側で、トレイ３０の前縁部３０ｃ近傍から後縁部３０ｄ近傍までに渡って形成されている。
【００２４】
延出部２４の後縁部２４ｂの両側端部近傍には、トレイ台１２の一対の突起１２ｅ、１２ｇと同形状の一対のガイド突起２４ｅ、２４ｇが上向きに形成されており、ガイド突起２４ｅの近傍に駆動ギア１３ｂが位置している。
ガイド突起２４ｅ、突起１２ｅ及び突起１２ｆは、筐体１１の奥行き方向に一直線上に並んでおり、ガイド突起２４ｇ、突起１２ｇ及び突起１２ｈも同様に筐体１１の奥行き方向に一直線上に並んでいる。
一対のガイド突起２４ｅ、２４ｇは、それぞれトレイ３０の係合溝３２ａ、３２ｂに嵌入してトレイ３０の前後方向の案内を行うようにしている。
【００２５】
ところで、トレイ３０上面の前側寄りの略中央部に、直径８ｃｍのディスクを載置する円盤状の凹部３４ａと、凹部３４ａの周縁に凹部３４ａと同心に、直径１２ｃｍのディスクを載置する輪状の凹部３４ｂとが形成されている。凹部３４ａの中心からトレイ３０の奥行き方向に、トレイ３０の後縁部３０ｄ近傍まで、ディスクの情報を読み書きするピックアップ（図示せず）が移動可能な移動域をなす矩形状の孔３５が形成されている。
【００２６】
トレイ３０がトレイ台１２及び延出部２４に支持された場合、トレイ３０は空隙を介して連結ギア１３ａ、駆動ギア１３ｂ及びピニオン１３ｃを上側から覆うようになっている。
【００２７】
次に本実施の形態に係るディスク装置の作用について説明する。
図６は本実施の形態に係るトレイをディスクドライブから引き出した状態を示す平断面図である。
先ず、トレイ３０の後端を延出部２４に載置してトレイ３０を挿入口２２に挿入したとき、両側部３０ａ、３０ｂの後端部のストッパ３１ａ、３１ｂが第２側壁２７ａ、２７ｂにそれぞれ当接して変形し、延出部２４のガイド突起２４ｅ、２４ｇが、トレイ３０下面の係合溝３２ａ、３２ｂにそれぞれ嵌入してトレイ３０を筐体１１内に案内する。
【００２８】
二個のガイド突起２４ｅ、２４ｇがトレイ２０の二個の係合溝３２ａ、３２ｂに係合したとき、延出部２４のピニオン１３ｃがガイド突起２４ｅの近傍でトレイ３０のラック３３に噛合して、ガイド突起２４ｅ、２４ｇと係合溝３２ａ、３２ｂとの係合及びピニオン１３ｃとラック３３との噛合が、パネル２０の挿入口２２に対するトレイ３０の正面視縦横の位置関係をより確実に拘束する。
【００２９】
次に、トレイ３０の後端の下面がトレイ台１２の上面に当接し、トレイ３０の後端がディスクドライブ１０の前枠１０ｂの内側に入ったとき、ストッパ３１ａ、３１ｂが原形に復帰し、トレイ台１２の突起１２ｅ、１２ｇがそれぞれトレイ３０下面の係合溝３２ａ、３２ｂに嵌入してトレイ３０をディスクドライブ本体１０ａ内に案内する。
次いで、トレイ台１２の突起１２ｆ、１２ｈがそれぞれトレイ３０下面の係合溝３２ａ、３２ｂに嵌入してトレイ３０をディスクドライブ本体１０ａ内に案内する。
【００３０】
そして、蓋体３６が段２５ａ、２５ｂに当接して、蓋体３６が挿入口２２を閉塞したとき、パネル２０の延出部２４に位置するガイド突起２４ｅ、２４ｇがトレイ３０の係合溝３２ａ、３２ｂにそれぞれ嵌入した状態で、延出部２４に軸支されるピニオン１３ｃがトレイ３０のラック３３に噛合している。ガイド突起２４ｅ、２４ｇと係合溝３２ａ、３２ｂとの係合及びピニオン１３ｃとラック３３との噛合が、パネル２０の挿入口２２に対するトレイ３０の正面視縦横の位置関係を保持し、トレイ３０とパネル２０の挿入口２２との位置ずれが無くなる。さらに蓋体３６の前面がパネル２０の前面と面一になり、蓋体３６の全周の隙間２３が均一な、例えば１ｍｍになる。
【００３１】
トレイ３０を取り出す場合、先ず、イジェクトボタン（図示せず）を押したとき、トレイ駆動装置１４が起動して連結ギア１３ａの回転と連動して駆動ギア１３ｂ及びピニオン１３ｃが回転し、ラック３３が前側に動く。ラック３３の動きによりトレイ３０が前側に移動し、トレイ台１２の突起１２ｅ、１２ｇ及び突起１２ｆ、１２ｈが、それぞれトレイ３０下面の係合溝３２ａ、３２ｂに嵌入した状態でトレイ３０を前側へ案内する。
【００３２】
次に、トレイ３０のストッパ３１ａ、３１ｂがディスクドライブ１０の前枠１０ｂの裏面に当接する寸前に、リミットスイッチ（図示せず）の信号に基づいてトレイ駆動装置１４が停止し、トレイ３０の移動が止まる。
【００３３】
このような本実施の形態に係るディスク装置では、トレイ３０先端の蓋体３６とパネル２０の挿入口２２との位置ずれが無くなり、挿入口２２と蓋体３６との隙間２３を均一にすることができる。またパネル２０のガイド突起２４ｅの近傍にトレイ３０を駆動するピニオン１３ｃを設けているので、トレイ３０の動きによる横方向のぶれを押さえることができる。
【００３４】
なお、本実施の形態では、パネル２０の延出部２４に一対のガイド突起２４ｅ、２４ｇを形成し、さらにトレイ台１２に一対の突起１２ｅ、１２ｇ及び一対の突起１２ｆ、１２ｈを形成し、トレイ３０に係合溝３２ａ、３２ｂを形成しているが、逆の構成にしてもよい。即ち、延出部２４に案内部である一対のガイド溝を形成し、トレイ台１２に一対の第１ガイド溝及び一対の第２ガイド溝を形成し、トレイ３０に係合部である下向きのレール状の係合突起を形成するようにしてもよい。
【００３５】
さらに本実施の形態では、挿入口２２の両側縁及び下縁が、パネル２０の内側方向に延出されているが、挿入口２２の全周縁が延出されるようにしてもよい。また一対のガイド突起２４ｅ、２４ｇは延出部２４の上面に形成されているが、第２側壁２７ａ、２７ｂにそれぞれ形成するようにしてもよい。この場合、トレイ３０の側部３０ａ、３０ｂにそれぞれ溝を形成し、ディスクドライブの両内側壁にそれぞれ第１突起及び第２突起を設けるようにすればよい。
【００３６】
また本実施の形態では、突起１２ｅ、１２ｇとガイド突起２４ｅ、２４ｇとを同形状にしているが、これに限らず、横方向に離間した突状であればよい。またトレイ及びトレイ飾りは一体成形するようにしてもよい。
【図面の簡単な説明】
【００３７】
【図１】本発明の実施の形態に係るディスク装置を示す正面図である。
【図２】図１のＩＩ−ＩＩ断面図である。
【図３】図２のＩＩＩ−ＩＩＩ断面図である。
【図４】図１のＩＶ−ＩＶ断面図である。
【図５】図４のＶ−Ｖ断面図である。
【図６】本実施の形態に係るトレイをディスクドライブから引き出した状態を示す平断面図である。
【図７】従来のディスク装置を上方から視た部分斜視図である。
【符号の説明】
【００３８】
１０  ディスクドライブ
１２  トレイ台
１２ｅ、１２ｆ、１２ｇ、１２ｈ  突起
１３ｂ  駆動ギア
１３ｃ  ピニオン
２０  パネル
２２  挿入口
２４  延出部
２４ｅ、２４ｇ  ガイド突起（案内部）
３０  トレイ
３３  ラック
３２ａ、３２ｂ  係合溝（係合部）
３６  蓋体
【図１】
2009104726.tif 000003
【図２】
2009104726.tif 000004
【図３】
2009104726.tif 000005
【図４】
2009104726.tif 000006
【図５】
2009104726.tif 000007
【図６】
2009104726.tif 000008
【図７】
2009104726.tif 000009